(57)【要約】  本開示は、ウェブページのページ要素を決定する方法および装置を提供する。ウェブページに提示されるページ要素の属性および数が、決定される。対応する属性と、提示要件を満たす対応する重み付けされた結果値とを有する上記の数のページ要素が、ページ要素データベースから選択される。ページ要素の重み付けされた結果値は、ページ要素に対してユーザによって操作された操作情報に従って決定され、提示されるページ要素は、ページ要素の重み付けされた結果値に基づいて選択される。ウェブページのページ要素は、ユーザの訪問傾向により準拠し、これにより不必要な情報の訪問を減少させ、かつネットワーク送信資源の占有を軽減する。
2015515046.tif 000002
【特許請求の範囲】
【請求項１】
ウェブページのページ要素を決定する方法であって、
前記ウェブページに提示されるページ要素の属性および数を決定することと、
複数のページ要素に対して１人以上のユーザによって実行される操作情報を決定することと、
前記決定された属性およびこれらの対応する操作情報に基づいて、前記ウェブページに提示される前記複数のページ要素から前記の数のページ要素を選択することと、
を含む、方法。
【請求項２】
前記複数のページ要素が、ページ要素データベースに記憶される、請求項１に記載の方法。
【請求項３】
前記の数のページ要素の位置情報を、前記の数のページ要素の対応する属性に基づいて決定することと、
前記の数のページ要素を、これらの位置情報に従って、前記ウェブページに挿入することと、
をさらに含む、請求項１に記載の方法。
【請求項４】
前記の数のページ要素を、ランダムに前記ウェブページに挿入することをさらに含む、請求項１に記載の方法。
【請求項５】
前記ウェブページでの前記の数のページ要素の操作情報を監視することと、
前記の数のページ要素のうちの１つ以上のページ要素を調整すべきかどうかを、前記監視された操作情報に基づいて決定することと、
をさらに含む、請求項１に記載の方法。
【請求項６】
前記監視することが、
前記１人以上のユーザによって前記の数のページ要素に対して実行される１つ以上のタイプの操作を設定することと、
前記設定された１つ以上のタイプの操作を有する操作情報を取得することと、
を含む、請求項５に記載の方法。
【請求項７】
前記１つ以上のタイプの操作が次のタイプ：
それぞれのページ要素が前記１人以上のユーザによってクリックされる回数、
前記それぞれのページ要素によって説明される対象が、前記１人以上のユーザによって検索される回数、および
前記それぞれのページ要素によって説明される前記対象が、前記１人以上のユーザによって収集される回数、
のうちの１つ以上を含む、請求項６に記載の方法。
【請求項８】
前記の数のページ要素のうちの１つ以上のページ要素を調整すべきかどうかの前記決定に先立って、前記の数のページ要素の前記操作情報を監視する時間周期が、事前設定された時間しきい値を満たすことを判定することをさらに含む、請求項５に記載の方法。
【請求項９】
前記の数のページ要素のうちの１つ以上のページ要素を調整すべきかどうかの前記決定が、
前記の数のページ要素のうちのそれぞれのページ要素のそれぞれの重み付けされた結果値を決定することと、
前記それぞれのページ要素の前記それぞれの重み付けされた結果値のそれぞれの信頼度が、事前設定された調整しきい値を満たすかどうかを判定することと、
前記それぞれのページ要素の前記それぞれの重み付けされた結果値の前記それぞれの信頼度が事前設定された調整しきい値を満たす場合に、前記それぞれのページ要素を調整すべきであると決定することと、
前記それぞれのページ要素の前記それぞれの重み付けされた結果値の前記それぞれの信頼度が前記事前設定された調整しきい値を満たさない場合に、前記それぞれのページ要素を調整すべきでないと決定することと、
を含む、請求項５に記載の方法。
【請求項１０】
前記の数のページ要素のうちの前記それぞれのページ要素の前記それぞれの重み付けされた結果値の前記決定が、
前記それぞれのページ要素の前記それぞれの重み付けされた結果値を、前記それぞれのページ要素に対する１つ以上のタイプの操作情報と、前記１つ以上のタイプの操作情報のそれぞれの重み付けされた値と、に基づいて決定することを含む、請求項９に記載の方法。
【請求項１１】
前記それぞれの信頼度が、前記それぞれのページ要素が前記ウェブページに提示される回数に対する、前記それぞれのページ要素の前記それぞれの重み付けされた結果値の比である、請求項９に記載の方法。
【請求項１２】
前記の数のページ要素のうちの前記１つ以上のページ要素を調整すべきかどうかの前記決定が、
それぞれのページ要素を調整する条件を決定することと、
前記それぞれのページ要素が前記条件を満たすかどうかを判定することと、
前記それぞれのページ要素が前記条件を満たす場合に、前記それぞれのページ要素を調整すべきであることを決定することと、
前記それぞれのページ要素が前記条件を満たさない場合に、前記それぞれのページ要素を調整すべきでないことを決定することと、
を含む、請求項５に記載の方法。
【請求項１３】
前記複数のページ要素に対して前記１人以上のユーザによって実行される操作情報の前記決定に先立って、前記複数のページ要素を、第１のページ要素集合と第２のページ要素集合とに分類することであって、前記第１のページ要素集合が、重み付けされた結果値の信頼度が提示要件を満たす第１の１つ以上の要素を含み、前記第２のページ要素集合が、重み付けされた結果値の信頼度が提示要件を満たさないか、または対応する重み付けされた結果値を有さない第２の１つ以上の要素を含む、分類することと、
前記乱数が、前記第１のページ要素集合に割り当てられる乱数区間内にあることを決定することと、をさらに含み、
前記ウェブページに提示される前記複数のページ要素からの前記決定された属性およびこれらの対応する操作情報に基づく前記の数のページ要素の前記選択が、前記第１のページ要素集合からの前記決定された属性を持つ前記の数のページ要素を選択することを含む、請求項１に記載の方法。
【請求項１４】
前記複数のページ要素に対して前記１人以上のユーザによって実行される操作情報の前記決定に先立って、前記複数のページ要素を、第１のページ要素集合と第２のページ要素集合とに分類することであって、前記第１のページ要素集合が、重み付けされた結果値の信頼度が提示要件を満たす第１の１つ以上の要素を含み、前記第２のページ要素集合が、重み付けされた結果値の信頼度が提示要件を満たさないまたは対応する重み付けされた結果値を有さない第２の１つ以上の要素を含む、分類することと、
前記乱数が、前記第２のページ要素集合に割り当てられる乱数区間内にあることを決定することと、をさらに含み、
前記ウェブページに提示される前記複数のページ要素からの前記決定された属性およびこれらの対応する操作情報に基づく前記の数のページ要素の前記選択が、前記第２のページ要素集合から前記決定された属性を持つ前記の数のページ要素を選択することを含む、
請求項１に記載の方法。
【請求項１５】
ウェブページのページ要素を決定する方法であって、
ページ要素データベースに記憶される複数のページ要素を、第１のページ要素集合と第２のページ要素集合とに分類することであって、前記第１のページ要素集合が、重み付けされた結果値の信頼度が提示要件を満たす第１の１つ以上の要素を含み、前記第２のページ要素集合が、重み付けされた結果値の信頼度が提示要件を満たさないまたは対応する重み付けされた結果値を有さない第２の１つ以上の要素を含む、分類することと、
前記ウェブページに提示されるページ要素の属性および数を決定することと、
乱数を生成することと、
前記第１のページ要素集合に割り当てられる乱数区間と、前記第２のページ要素集合に割り当てられる乱数区間と、を割り当てることと、
前記乱数が、前記第１のページ要素集合に割り当てられる前記乱数区間または前記第２のページ要素集合に割り当てられる前記乱数区間の内部にあるかどうかを判定することであって、
前記乱数が、前記第１のページ要素集合に割り当てられた前記乱数区間内にある場合に、前記決定された属性を持つ前記の数のページ要素を前記第１のページ要素集合から選択し、
前記乱数が、前記第２のページ要素集合に割り当てられた前記乱数区間内にある場合に、前記決定された属性を持つ前記の数のページ要素を前記第２のページ要素集合から選択する、判定することと、
を含む、方法。
【請求項１６】
前記第１のページ要素集合に割り当てられた前記乱数区間が、前記第１のページ要素集合に含まれる前記第１の１つ以上のページ要素の数に正比例し、前記第２のページ要素集合に割り当てられた前記乱数区間が、前記第２のページ要素集合に含まれる前記第２の１つ以上のページ要素の数に逆比例する、請求項１５に記載の方法。
【請求項１７】
前記決定された属性を持つ前記の数のページ要素の前記第１のページ要素集合からの前記選択が、
前記第１のページ要素集合中の前記決定された属性を持つ１つ以上の要素の重み付けされた結果値の降順に従って前記の数のページ要素を選択することを含む、請求項１５に記載の方法。
【請求項１８】
前記決定された属性を持つ前記の数のページ要素の前記第２のページ要素集合からの前記選択が、
前記第２のページ要素集合中の前記決定された属性を持つ１つ以上の要素の提示回数の降順に従って前記の数のページ要素を選択することを含む、請求項１５に記載の方法。
【請求項１９】
それぞれのページ要素のそれぞれの重み付けされた結果値を、前記それぞれのページ要素に対する１つ以上のタイプの操作情報と、前記１つ以上のタイプの操作情報のそれぞれの重み付けされた値と、に基づいて決定することをさらに含む、請求項１５に記載の方法。
【請求項２０】
ウェブページのページ要素を決定する装置であって、
前記ウェブページに提示されるページ要素の属性および数を決定するページ要素情報決定ユニットと、
前記決定された属性およびこれらの対応する操作情報に基づいて、複数のページ要素から前記の数のページ要素を選択するページ要素決定ユニットと、
前記１つ以上のページ要素の前記決定された属性に対応する前記ウェブページにおける位置情報に従って、前記ウェブページに前記の数のページ要素を挿入するウェブページ決定ユニットと、
を備える、装置。
【発明の詳細な説明】
【技術分野】
【０００１】
（関連出願の相互参照）
本出願は、「Ｍｅｔｈｏｄ  ａｎｄ  Ａｐｐａｒａｔｕｓ  ｏｆ  Ｄｅｔｅｒｍｉｎｉｎｇ  Ｐａｇｅ  Ｅｌｅｍｅｎｔｓ  ｏｆ  Ｗｅｂｐａｇｅ」という題名の、２０１２年２月２８日に出願された、中国特許出願第２０１２１００４８８３９．３号に対する外国優先権を主張するものであり、これはその全体が参照により本明細書に組み込まれる。
【０００２】
本開示は、インターネット技術の分野に関し、より具体的には、ウェブページのページ要素を決定する方法および装置に関する。
【背景技術】
【０００３】
電子情報時代の到来とともに、人々はインターネットを通じてあらゆる種類の情報を迅速に、かつタイミングよく取得することが可能であるため、インターネットは我々の日々の生活で重要な役割を果たしている。インターネットの応用は、我々の生活および業務に恩恵を与えるため、一般的になっている。
【０００４】
インターネットの応用の１つの重要な側面は、様々な種類の情報が、ウェブサイトを通してユーザに提示されることである。情報を提示する一部の一般的なウェブサイトには、様々な取引ウェブサイト、情報公開ウェブサイトなどが含まれる。例えば、取引ウェブサイトでは、売り手は、製品の製品属性を説明する情報を、買い手が見るウェブページに提示する。これらの製品に対応する電子情報は、写真、テキストなどの様々な形式を取り得る。
【０００５】
ウェブページに提示される情報は一般的に、ページ要素と呼ばれ、これには、テキスト、写真、オーディオ、アニメ、ビデオなどが含まれ得る。ユーザが公開者として情報を公開するとき、このユーザは、公開された情報が注目を受けることを意図する。特に、製品に対応する情報にとっては、注目率は販売量に直接に関連する。したがって、情報は通常は、ある方法で公開される。言い換えれば、ウェブページのページ要素は、ある方法で構築される。ウェブページのページ要素の決定には、ウェブページに提示されるページ要素の決定と、ウェブページのページ要素のレイアウト（すなわち、ウェブページ上でのページ要素の位置）の決定とが含まれる。現在では、ウェブページのページ要素を決定する２つの方法がある。
【０００６】
第１の方法は、ウェブページに提示されるページ要素を、ウェブページの保守者によって決定することである。
【０００７】
ウェブページの保守者は、ウェブページの主題に最も関連性があり、かつ観察者にとって最も興味があるページ要素を、ウェブページの主題に従って選択する。ウェブページの保守者はまた、ページ要素のレイアウト（すなわち、ウェブページに配置されるページ要素の位置）を設計して、提示されるウェブページを最終的に決定する。この手順は、ウェブページのページ要素を定期的に更新する必要性に基づいて定期的に実施され得る。
【０００８】
第２の方法は、ユーザフィードバックに従って、ウェブページのページ要素を決定することである。
【０００９】
ウェブページに最初に提示されるページ要素は、第１の方法で決定され得る。言い換えれば、ウェブページの保守要員は、ページ要素を選択して、ウェブページに提示されるページ要素の位置を決定する。ウェブページが提示された後で、ウェブページの観察者（ユーザ）によって報告されたウェブページのページ要素の注釈情報が取得され得て、かつウェブページ保守要員は、取得された注釈情報に従ってページ要素を調整し得る。例えば、良いフィードバックを受信するページ要素は、ユーザがより見やすいウェブページ上の位置に表示され得るし、悪いフィードバックを受信するページ要素は、ユーザが見やすくないウェブページ上の位置に表示され得る。悪いフィードバックを受信するページ要素は、削除されることさえあり得る。
【００１０】
一般的に、ページ要素は、前方に置かれるほど、ユーザが見やすくなる。したがって、ページ要素の選択およびこれらの位置の決定は、ウェブページの最適化にとっては重要である。上記の２つの方法は、次の理由により、ネットワーク最適化の要件を満たすことは不可能である。
【００１１】
第１の方法では、ページ要素の選択およびレイアウトは、ウェブページ保守要員によって判定される。ウェブページの提示結果は、ウェブページ観察者の訪問傾向を表さない。ユーザが本当に必要とする情報は、後方の位置に置かれ得る。したがって、ユーザは、ウェブページの前方の位置に置かれたすべてのページ要素を見た後で、自身が必要とする情報を最後に発見する。ユーザが不必要な情報にアクセスする過程が、ネットワーク送信資源を占有することは明らかである。
【００１２】
第２の方法では、ウェブページのページ要素の位置はユーザの注釈に基づいて調整され得るとはいえ、第２の方法は、ユーザが自身のフィードバック情報をサーバに報告することを必要とする。このような報告過程もまた、ネットワーク送信資源を占有する。
【００１３】
したがって、ウェブページのページ要素を決定する従来の方法は、ネットワーク送信資源を不必要に占有する。
【発明の概要】
【００１４】
本発明の概要は、下段の発明を実施するための形態にさらに記述されている一連の概念を単純化された形式で紹介するために提供されている。本発明の概要は、請求される主題のすべての重要な特徴または本質的な特徴を特定することを意図するものでもなければ、請求される主題の範囲を決定する助けとしてのみ用いられることを意図するものでもない。例えば、「技法」という用語は、上記の文脈で、および本開示全体にわたって容認されるような、装置、システム、方法および／またはコンピュータ読み取り可能命令のことであり得る。
【００１５】
本開示は、ウェブページのページ要素を決定する方法および装置を提供する。本技法は、ウェブページのページ要素を最適化して、ネットワーク送信資源の占有を軽減し得る。
【００１６】
本開示は、ウェブページのページ要素を決定する方法を提供する。提示されるウェブページのページ要素の属性および数が、決定される。対応する属性と、１つ以上の提示要件を満たす対応する重み付けされた結果値とを有するこの数のページ要素が、ページ要素データベースから選択される。ページ要素の重み付けされた結果値は、現在の時点でのウェブページのページ要素を決定するに先立ってウェブページに以前に提示された１人以上のユーザによって実行されたページ要素の操作情報に従って決定される。
【００１７】
本開示はまた、ウェブページのページ要素を決定する装置を提供する。ページ要素情報決定ユニットは、提示されるウェブページのページ要素の属性および数を決定する。ページ要素決定ユニットは、対応する属性と、１つ以上の提示要件を満たす対応する重み付けされた結果値とを有するこの数のページ要素を、ページ要素データベースから選択する。ページ要素の重み付けされた結果値は、現在の時点でのウェブページのページ要素を決定するに先立ってウェブページに以前に提示された１人以上のユーザによって実行されたページ要素の操作情報に従って決定される。
【００１８】
本開示の少なくとも１つの本技法は、提示されるウェブページのページ要素の属性および数を決定し、対応する属性と、１つ以上の提示要件を満たす対応する重み付けされた結果値とを有するこの数のページ要素を、ページ要素データベースから選択する。ページ要素の重み付けされた結果値は、現在の時点でのウェブページのページ要素を決定するに先立ってウェブページに以前に提示されたページ要素に対して１人以上のユーザによって実行された操作情報に従って決定される。本技法は、ウェブページに提示される現行のページ要素の決定に先立ってウェブページに以前に提示されたページ要素に対してユーザによって実行された操作情報に従ってページ要素の重み付けされた結果値を決定し、ページ要素に対応する重み付けされた結果値に従って、ページ要素をフィルタリングする。したがって、ウェブページ上のページ要素は、ユーザの訪問傾向により準拠したものとなり、ウェブページに提示されるページ要素は最適化される。ユーザが不必要な情報にアクセスするために占有されるネットワーク送信資源が減少され得る。ユーザが、ページ要素を決定する過程に関わったりまたは関連情報を報告したりすることは不必要である。その結果、ネットワーク送信資源の使用が減少する。
【００１９】
本開示の一部の特徴を、以下の明細書に詳細に説明する。本開示の一部の特徴は、本明細書での説明から明らかになるまたは本開示の実施を通じて理解され得る。本開示の目的および利点は、本明細書、請求の範囲、および本明細書の図面から示され得る。
【図面の簡単な説明】
【００２０】
本開示の実施形態をよりよく示すために、実施形態の説明で用いられる図面の簡単な紹介を以下に記す。以下の図面は、本開示の実施形態の一部に関するだけであることが明瞭である。当業者は、創造的な努力無しで、本開示中の図面に従って他の図面を取得することが可能である。
【図１】本開示の第１の実施形態例によるウェブページ提示例の図を示す。
【図２】本開示の第１の実施形態例によるウェブページのページ要素を決定する方法例のフローチャートを示す。
【図３】本開示の第１の実施形態例によるウェブページを再生成すべきかどうかを監視する方法例のフローチャートを示す。
【図４】本開示の第１の実施形態例によるウェブページのページ要素を調整する方法例のフローチャートを示す。
【図５】本開示の第２の実施形態例によるウェブページのページ要素を決定する方法例のフローチャートを示す。
【図６】本開示の第３の実施形態例によるウェブページのページ要素を決定する第１の装置例の図を示す。
【図７】本開示の第３の実施形態例によるウェブページのページ要素を決定する第２の装置例の図を示す。
【図８】本開示の第３の実施形態例によるウェブページのページ要素を決定する第３の装置例の図を示す。
【図９】本開示の第３の実施形態例によるウェブページのページ要素を決定する第４の装置例の図を示す。
【発明を実施するための形態】
【００２１】
本開示は、ウェブページに提示されるページ要素を最適化するためにウェブページのページ要素を決定する方法および装置を提供する。本技法は、ページ要素をウェブページ上にこれらを提示する前に決定する過程に適用可能であり、方法または装置として実現され得る。以下の記述は、図を参照して本開示の一部の実施形態例を説明する。本明細書の実施形態は、本開示の範囲を限定するためではなく、単に解説目的で提示されることを理解すべきである。本開示の実施形態および各々の実施形態中の特徴は、矛盾がないときは組み合わされ得る。
【００２２】
本開示の第１の実施形態例は、ウェブページのページ要素を決定する方法を提供する。本方法は、ウェブページサーバで適用され得る。本方法は、ウェブページを提示する前にウェブページのページ要素を決定する際に適用可能であり得る。
【００２３】
第１の実施形態例では、ページ要素データベースが事前確立される。ページ要素データベースは、様々な属性に対応するページ要素を記憶する。ウェブページを提示する前に、１つ以上の提示要件を満たすページ要素が、ページ要素データベースに保存されているページ要素から、提示要件に従って選択される。例えば、ウェブページ提示要件は、ウェブページに提示されるページ要素の数と、ウェブページに提示されるページ要素の属性と、を含み得る。一部の応用では、提示効果を向上させるために、様々な属性に対応するページ要素が、ウェブページの様々な領域で提示され得るし、様々な領域でのページ要素の属性が定義される。一般に、同じ属性に対応するページ要素は、互いに異なった属性値をさらに有し得る。したがって、ウェブページで同じ属性のページ要素を提示する領域は、さらに分割され得る。領域は、属性の互いに異なった対応する属性値に従って互いに異なったサブ領域にさらに分割され得る。各々のサブ領域は、属性の互いに異なった対応する属性値を持つページ要素を提示する。
【００２４】
ウェブページ提示領域の分割をよりよく理解するために、図１に、ウェブページ提示例の図を示す。図１に示すように、ウェブページ１００は、３つの提示領域、すなわち提示領域１０２、提示領域１０４、および提示領域１０６に分割される。提示領域１０２、１０４、および１０６は、それぞれ属性Ａ、Ｂ、およびＣを持つページ要素を表すために用いられる。提示領域１０２などの各々の提示領域１０２、１０４、および１０６は、複数のページ要素を提示し得る。例えば、属性Ａは、３つの属性値Ａ１、Ａ２、およびＡ３に対応し得る。提示領域１０２は、３つのサブ領域、すなわち、サブ領域１０８、サブ領域１１０、およびサブ領域１１２にさらに分割される。サブ領域１０８、１１０、および１１２は、それぞれ属性値Ａ１、Ａ２、およびＡ３を持つページ要素を提示するために用いられる。図１に示すウェブページの提示領域の図は、解説目的だけである。応用に際して、ウェブページの提示領域の分割と、ウェブページの表示構成とは、柔軟に設定され得るものであり、ここでは詳述しない。
【００２５】
第１の実施形態例では、ページ要素データベースに保存されるページ要素は、ネットワーク資源の最新情報で動的に更新され得るし、様々な属性を持つ保存されているページ要素の提示に従って、重み付けされた値または重み付けされた結果値を維持する。例えば、ページ要素に対応する重み付けされた結果値は、ページ要素がウェブページで提示されるときに、ページ要素に対してユーザが実行した操作情報に従って決定され得る。言い換えれば、ページ要素に対応する重み付けされた結果値は、これらが提示された後で、ページ要素に対するユーザの操作によって動的に更新され得る。ページ要素に対応する重み付けされた結果値を決定する過程は、以下により詳細に説明する。応用に際して、ページ要素データベースに記憶されているページ要素は、これらの対応する属性に従って分類され、記憶され得る。
【００２６】
図２に、本開示の第１の実施形態例によるウェブページのページ要素を決定する過程例のフローチャートを示す。
【００２７】
２０２で、ウェブページで提示されるページ要素の属性および数が決定される。
【００２８】
ウェブページで提示されるページ要素の属性および数は、ウェブページの実際の提示要件に従って決定され得る。例えば、ウェブページで提示されるページ要素の属性および数が決定されるとき、様々な属性を持つ対応するページ要素が選択的に決定され得る。ウェブページで様々な属性を持つページ要素の位置が決定されるとき、ページ要素は、ウェブページを生成する次の過程で、様々な属性を持つページ要素の位置に従って、ウェブページの対応する位置に挿入される。ウェブページで様々な属性を持つページ要素の位置が決定されないとき、ページ要素は、ウェブページを生成する次の過程で、ウェブページ中にランダムに挿入され得る。
【００２９】
２０４で、決定された属性と、提示要件を満たす対応する重み付けされた結果値とを有するページ要素が、ページ要素データベースに記憶されているページ要素から決定される。
【００３０】
ページ要素の重み付けされた結果値は、現在のウェブページでのページ要素が現在の時点で決定される前に、１つ以上のウェブページで前に提示されたページ要素に対してユーザによって実行された操作情報に従って決定される。提示要件は柔軟に設定され得る。例えば、提示要件は、重み付けされた結果値を決定する特定の方法に従って設定され得る。一般に、提示要件を満たす重み付けされた結果値を持つページ要素は、提示されている他のページ要件より良好である。例えば、重み付けされた結果値が、ページ要素がユーザによってクリックされた回数に基づいて決定される場合、ユーザによってクリックされた回数に基づいて決定される重み付けされた結果値が事前設定されたしきい値より高いという提示要件が設定され得る。事前設定されたしきい値は、実際の実施例に従って柔軟に調整され得る。
【００３１】
２０６では、決定された属性と、提示要件を満たす対応する重み付けされた結果値とを有するページ要素から、決定された数のページ要素が、ウェブページで提示されるようにさらに選択される。
【００３２】
ウェブページのページ要素を決定する過程は、ここで終了し得る。図２に示すような過程に基づいて、本技法は、ウェブページで提示された現行のページ要素の決定に先立って、ウェブページで以前に提示されたページ要素に対してユーザが実行した操作情報に従って、ページ要素の重み付けされた結果値を決定し、ページ要素に対応する重み付けされた結果値に従ってページ要素をフィルタリングする。したがって、ウェブページでのページ要素は、ユーザの訪問傾向により準拠したものとなり、ウェブページで提示されるページ要素は最適化される。ユーザが不必要な情報にアクセスするために占有されるネットワーク送信資源が減少され得る。ユーザが、ページ要素を決定する過程に関わったりまたは関連情報を報告したりすることは不必要である。その結果、ネットワーク送信資源の使用が減少する。
【００３３】
ページ要素が、図２に示すようにこの過程によってウェブページで提示されるように選択された後、ウェブページはさらに生成され得る。例えば、選択されたページ要素は、様々な属性を持つ対応するページ要素の位置情報に従って、ウェブページの対応する位置に埋め込まれる。ウェブページでの様々な属性を持つ対応するページ要素の位置情報が前もって決定されていない場合、選択されたページ要素は、ウェブページ中にランダムに埋め込まれ得る。
【００３４】
別の例の場合、ウェブページが生成された後、現在生成されているウェブページに対するユーザの注意は、新しいウェブページが、ユーザの注意が衰えるときに生成され得るように監視され得る。ユーザが実行したページ要素に対する操作情報は、ウェブページに対するユーザの注意を表し得る。図３は、新しいウェブページを生成すべきかどうかを監視し、かつ決定する方法例のフローチャートを示す。
【００３５】
３０２で、ユーザによって操作された、ウェブページで提示されたページ要素の各々の操作査情報が取得される。
【００３６】
例えば、ページ要素に対する操作のタイプは、事前設定され得る。事前設定された操作タイプのユーザ操作が監視されるとき、操作情報が取得され得る。
【００３７】
３０４で、ウェブページのページ要素を調整すべきかどうかが、ユーザによって操作されたページ要素の操作情報に従って決定される。この決定の結果が肯定的であれば、３０６での操作は実施され、そうでなければ、過程は３０２に戻る。
【００３８】
１つの例では、３０４で、３０４で操作情報を取得する時間周期が事前設定された時間しきい値に達した後、ウェブページのページ要素を調整するべきかどうかが、ユーザによって操作されたページ要素の操作情報に従って決定される。
【００３９】
３０６で、新しいウェブページを生成すべきかどうかが決定される。
【００４０】
例えば、３０６で、新しいウェブページを生成する必要があると決定された後で、この新しいウェブページで提示されるページ要素が最初に決定される。ウェブページで提示されるページ要素を決定する過程が、図２のフローチャートに示すような過程中に、例として図示される。したがって、３０６での操作は、本明細書では詳述しない。
【００４１】
新しいウェブページを生成すべきかどうかを監視する過程は、ここで終了し得る。
【００４２】
例えば、３０２で、ユーザによって操作されたページ要素の操作情報は、次のタイプのうちの１つ以上を含み得る：ページ要素がユーザによってクリックされた回数、ページ要素によって説明された対象がユーザによって検索された回数、およびページ要素によって説明された対象がユーザによって収集された回数。
【００４３】
上にリストアップしたユーザによって操作されるページ要素の操作情報のタイプは、単に例示的であることを理解すべきである。応用に際して、本明細書では解説しない様々な他のタイプの情報があり得る。
【００４４】
例えば、３０４では、ウェブページのページ要素を調整すべきかどうかを、ユーザによって操作されたページ要素の操作情報に従って判定する複数の方法が存在し得る。例えば、ウェブページのページ要素を調整すべきかどうかを、重み付けされた結果値の信頼度を参照して、または１つ以上の事前設定された条件に従って判定する。これらの２つの方法例を以下に詳述する。
【００４５】
第１の方法例では、ウェブページのページ要素を調整すべきかどうかを、各々のページ要素の重み付けされた結果値の信頼度を参照して判定する。それぞれのページ要素の重み付けされた結果値のそれぞれの信頼度は、それぞれのページ要素のそれぞれの重み付けされた結果値と、それぞれのページ要素がウェブページで提示された回数とに基づいて決定され得る。例えば、それぞれの信頼度は、それぞれのページ要素がウェブページで提示される回数に対するそれぞれの重み付けされた結果値の比であり得る。一般的に、重み付けされた結果値が同じであれば、回数が大きいほど、対応する信頼度は小さい。図４は、ウェブページのページ要素を調整すべきかどうかをユーザによって操作されたページ要素の操作情報に従って判定する方法例のフローチャートを示す。
【００４６】
４０２で、ページ要素に対応する重み付けされた結果値は、ユーザによって操作されたページ要素の操作情報に従ってそれぞれ決定される。
【００４７】
例えば、４０２で、それぞれのページ要素のそれぞれの重み付けされた結果値は、それぞれのページ要素に対してユーザが操作した操作情報のタイプと、操作情報のタイプの各々に対応する重み付けされた結果値とによって決定され得る。例えば、ユーザによって操作されるページ要素の操作情報のタイプは、クリック回数および収集回数を含み得る。操作情報のタイプの重み付けされた結果値、すなわちクリック回数および収集回数は、それぞれＡおよびＢである。それぞれのページ要素の重み付けされた結果値は、クリック回数＊Ａ＋収集回数＊Ｂに等しい。この等式は、重み付けされた結果値を計算する単なる方法例であることを理解すべきである。様々な決定方法が、実際の応用では適用され得る。
【００４８】
４０４で、ページ要素の重み付けされた結果値の信頼度が、事前設定された調整用しきい値をそれぞれ満たすかどうか判定される。この判定の結果が肯定的であれば、４０６での操作が実施され、そうでなければ、４０８での操作が実施される。
【００４９】
例えば、４０４で、それぞれの信頼度は、それぞれのページ要素がウェブページで提示されるそれぞれの回数に対するそれぞれのページ要素のそれぞれの重み付けされた結果値の比であり得る。それぞれのページ要素がウェブページで提示されるそれぞれの回数は、それぞれのページ要素がある時間周期中に提示される提示回数として設定され得る。調整用しきい値は、ウェブページに対する要件と、それぞれの重み付けされた結果値を決定する特定の方法とを参照して設定され得る。例えば、重み付けされた結果値が、ユーザがページ要素をクリックする回数に従って決定される場合、調整用しきい値は、事前設定された値として設定され得る。事前設定された値は、ウェブページに対する要件に従って平均クリック回数に基づいて決定され得る。特定の決定方法は、本明細書に詳述される様々な応用条件に従って設定され得る。
【００５０】
４０６で、調整する必要があるページ要素が決定される。
【００５１】
４０８で、調整する必要がないページ要素が決定される。例えば、ウェブページのページ要素を調整すべきかどうかを判定する過程はここで終了し得る。
【００５２】
第２の方法例では、ウェブページのページ要素を調整する１つ以上の条件が事前設定され得る。本技法は、ウェブページのページ要素を調整すべきかどうかを、ユーザによって操作されたページ要素の操作情報が条件を満たすかどうかを判定することによって判定する。ウェブページのページ要素を調整する条件は、ユーザによって操作されたページ要素の操作情報のタイプに従って決定され得る。例えば、ユーザによって操作されたページ要素の操作情報のタイプが、ユーザがページ要素をクリックする回数であれば、ウェブページのページ要素を調整する条件は、事前設定されたしきい値より低いウェブページのページ要素の平均クリックレートとして設定され得る。別の例の場合、ユーザによって操作されるページ要素の操作情報が複数のタイプを有する場合、操作情報のタイプが異なればウェブページのページ要素を調整する設定条件も異なり得る。あらゆるタイプの操作情報の条件が満たされるときにウェブページのページ要素を調整するかどうかを、本技法は判定する。代替的には、操作情報の各々のタイプに対して重みが設定され得る。包括的な値が、ユーザによって操作されたページ要素の各々のタイプの操作情報の重みに従った重み付けされた方法に基づいて計算され得る。次に、本技法は、計算された包括値と事前設定された値のしきい値との間の比較など、計算された包括的値が、ウェブページのページ要素を調整する条件を満たすかどうか判定する。
【００５３】
ウェブページのページ要素を調整すべきかどうかを、ユーザが操作したページ要素の操作情報に従って判定する上記の第１および第２の方法例は、単なる例示であると理解すべきである。応用に際しては、ウェブページのページ要素を調整すべきかどうかを判定する方法は、本明細書では詳述しないが、実際の必要性に基づいて様々な方法で柔軟に設定され得る。
【００５４】
一部の例では、ウェブページのページ要素を調整すべきかどうかをページ要素の操作情報に従って判定するとき、重み付けされた結果値を決定することは不可能である。ウェブページのページ要素を調整する必要があるとユーザが操作したページ要素の操作情報に従って判定された後で、かつ調整されるべきウェブページのページ要素が決定される前であれば、各々のページ要素に対応する重み付けされた結果値は、ユーザによって操作されたページ要素の操作情報に従って決定される。決定された重み付けされた結果値を用いて、ページ要素データベースに保存されている対応するページ要素の重み付けされた結果値を更新する。一部の例では、ウェブページのページ要素を調整すべきかどうかをユーザによって操作されたページ要素の操作情報に従って判定するとき、重み付けされた結果値を決定することが可能である。ページ要素の重み付けされた結果値を再決定する必要はない。決定された重み付けされた結果値は、ページ要素データベースに保存されている対応するページ要素の重み付けされた結果値を更新するために用いられ得る。
【００５５】
本開示の第２の実施形態例は、ウェブページのページ要素を決定する別の方法を提供する。第１の実施形態例でウェブページのページ要素を決定する方法とは異なって、第２の実施形態例では、ページ要素データベースに保存されるページ要素を２つの主要な集合に区分化する。
【００５６】
ページ要素の１つの集合は、重み付けされた結果値の信頼度が提示要件を満たすページ要素集合（「第１のページ要素集合」と呼ばれる）である。
【００５７】
ページ要素の別の集合は、重み付けされた結果値の信頼度が提示要件を満たさないページ要素集合および／または対応する重み付けされた結果値を有しないページ要素集合（「第２のページ要素集合」と呼ばれる）である。
【００５８】
これらの２つのページ要素集合に基づいて、本開示の第２の実施形態は、次の主要な過程を含む、図５に示すようなウェブページのページ要素を決定する方法を提供する。
【００５９】
５０２で、提示されるウェブページのページ要素の属性および数が決定される。
【００６０】
５０２での操作は、２０２でのそれらと同じまたは類似しているため、５０２での詳細な操作は本明細書では詳述しない。
【００６１】
５０４で、乱数が生成され、この乱数が存在するランダムな区間が決定される。この乱数が、第１のページ要素集合に対して割り当てられたランダム区間内にあれば、５０６での操作が実施される。この乱数が、第２のページ要素集合に対して割り当てられたランダム区間内にあれば、５０８での操作が実施される。
【００６２】
５０４で、第１のページ要素集合は、重み付けされた結果値の信頼度が提示要件を満たすページ要素の集合であるため、第１のページ要素集合の提示確率を増加させる必要がある。すなわち、第１のページ要素集合に対して割り当てられたランダム区間は、第１のページ要素集合中に含まれるページ要素の数に正比例する。言い換えれば、第１のページ要素集合に含まれるページ要素の数が大きいほど、第１のページ要素集合に対して割り当てられるランダム区間が大きくなる。したがって、生成された乱数が第１のページ要素集合に対して割り当てられたランダム区間中にある確率もまたより大きい。
【００６３】
逆に、第２のページ要素集合は、対応する重み付けされた結果値の信頼度が提示要件を満たさないページ要素の集合および／または対応する重み付けされた結果値を有しないページ要素の集合であるため。第２のページ要素集合中のページ要素が、提示の機会を有し得ることの保証に基づいて、第２のページ要素集合の提示確率は、減少させる必要がある。すなわち、第２のページ要素集合に対して割り当てられるランダム区間は、第２のページ要素集合に含まれるページ要素の数に逆比例する。言い換えれば、第２のページ要素集合に含まれるページ要素の数が大きいほど、第２のページ要素集合に対して割り当てられるランダム区間は小さくなる。したがって、生成される乱数が第２のページ要素集合に対して割り当てられるランダム区間中にある確率もより小さい。
【００６４】
５０６で、ウェブページで提示される必要がある上記の数のページ要素に対応するページ要素が、ページ要素の決定された属性を有し、かつ第１のページ要素集合に保存されているページ要素から、提示されるウェブページのページ要素として選択される。
【００６５】
例えば、５０６で、対応する属性を有し、かつ第１のページ要素集合に保存されているページ要素に対応する重み付けされた結果値に基づいて、対応する属性を有し、かつ第１のページ要素集合に保存されているページ要素から、これらの対応する重み付けされた結果値に従って降順で、上記の数のページ要素が、提示されるウェブページのページ要素として選択される。
【００６６】
５０８で、ウェブページで提示される必要がある上記の数のページ要素に対応するページ要素が、決定された属性を有し、かつ第２のページ要素集合に保存されているページ要素から、提示されるウェブページのページ要素として選択される。
【００６７】
例えば５０８では、対応する属性を有し、かつ第２のページ要素集合に保存されているページ要素の提示回数に基づいて、対応する属性を有し、かつ第２のページ要素集合に保存されているページ要素は、これらの提示回数に従って降順で順位付けされる。この決定された数のページ要素は、このような順位付けされたページ要素から、提示されるウェブページのページ要素として選択される。
【００６８】
図５のウェブページのページ要素を決定する過程は、ここで終了し得る。
【００６９】
第２の実施形態例で解説するようなウェブページのページ要素を決定する方法は、新たに更新される、提示されない、またはこのような種類のページ要素を適切に提示するには十分な提示効果を有しないページ要素を考慮し、これにより確実にウェブページ上に提示されるページ要素間での均衡が保証可能となる。
【００７０】
第１の実施形態例および第２の実施形態例に解説するようなウェブページのページ要素を決定する方法に対応して、本開示の第３の実施形態例は、図６に示すようにウェブページのページ要素を決定する装置を提供する。図６の装置６００は、１つ以上のプロセッサ６０２およびメモリ６０４を含み得る。メモリ６０４は、コンピュータ読み取り可能媒体の一例である。本明細書で用いる「コンピュータ読み取り可能媒体」には、コンピュータ記憶媒体および通信媒体が含まれる。
【００７１】
コンピュータ記憶媒体は、コンピュータ実行可能な命令、データ構造、プログラムモジュールまたは他のデータなどの情報を記憶するための何らかの方法または技術で実現される揮発性および不揮発性の、取り外し可能および取り外し不可能な媒体を含む。コンピュータ記憶媒体の例は、これには限られないが、相変化メモリー（ＰＲＡＭ）、スタティックランダムアクセスメモリー（ＳＲＡＭ）、ダイナミックランダムアクセスメモリー（ＤＲＡＭ）、他のタイプのランダムアクセスメモリー（ＲＡＭ）、リードオンリーメモリー（ＲＯＭ）、電気的消去可能プログラム可能リードオンリーメモリー（ＥＥＰＲＯＭ）、フラッシュメモリーもしくは他のメモリー技術、コンパクトディスクリードオンリーメモリー（ＣＤ−ＲＯＭ）、デジタルバーサタイルディスク（ＤＶＤ）もしくは他の光記憶装置、磁気カセット、磁気テープ、磁気ディスク記憶装置もしくは他の磁気記憶装置、または計算装置がアクセスする情報を記憶するために用いることが可能な他のいずれかの非送信媒体を含む。  対照的に、通信媒体は、コンピュータ読み取り可能命令、データ構造、プログラムモジュール、または、搬送波などの変調されたデータ信号中の他のデータを具体化し得る。本明細書で定義されるコンピュータ記憶媒体は、通信媒体を含まない。
【００７２】
メモリ６０４は、自身中にプログラムユニットもしくはモジュールならびにプログラムデータを記憶し得る。図６の例では、メモリ６０４は、自身中にページ要素情報決定ユニット６０６およびページ要素決定ユニット６０８を記憶し得る。
【００７３】
ページ要素情報決定ユニット６０６は、ウェブページで提示されるページ要素の属性および数を決定する。
【００７４】
ページ要素決定ユニット６０８は、決定された数のページ要素を、提示されるウェブページのページ要素として、ページ要素情報決定ユニット６０６によって決定された対応する属性と、提示要件を満たす対応する重み付けされた結果値とを有し、かつページ要素データベースに記憶されているページ要素から選択する。現在の時点でのウェブページのページ要素の決定に先立ってページ要素がウェブページ上に以前に提示されているときに、ページ要素の重み付けされた結果値は、ユーザによって操作された操作情報に従って決定される。
【００７５】
図７は、本開示の第３の実施形態例の別の実施例による別の装置例７００を示す。図７に示すような装置７００は、図６に示すような装置６００に基づいて、乱数生成ユニット７０２をさらに含み得る。
【００７６】
乱数生成ユニット７０２は、乱数を生成して、この乱数が存在するランダムな区間を決定する。
【００７７】
これに対応して、ページ要素決定ユニット６０８が、乱数生成ユニット７０２によって生成された乱数が第１のページ要素集合に対して割り当てられたランダム区間内にあるときに、決定された数のページ要素を、ウェブページに提示されるページ要素として、対応する属性を有し、かつ第１のページ要素集合に保存されているページ要素から選択する。第１のページ要素集合は、対応する重み付けされた結果値の信頼度が提示要件を満たすページ要素の集合である。例えば、それぞれのページ要素の重み付けされた結果値の信頼度は、それぞれのページ要素の重み付けされた結果値と、それぞれのページ要素がウェブページで提示される回数とに従って決定され得る。
【００７８】
ある例では、ページ要素決定ユニット６０８は、対応する属性を有し、かつ第１のページ要素集合に保存されているページ要素に対応する重み付けされた結果値に基づいて、決定された数のページ要素を、ウェブページに提示されるページ要素として、対応する属性を有し、かつ第１のページ要素集合に保存されているページ要素から、これらの対応する重み付けされた結果値に従って降順で選択する。
【００７９】
乱数生成ユニット７０２によって生成された乱数が第２のページ要素集合に対して割り当てられたランダム区間内にあるとき、ページ要素決定ユニット６０８は、上記の数のページ要素を、対応する属性を有し、かつ第２のページ要素集合に保存されているページ要素から、提示されるウェブページのページ要素として選択し得る。第２のページ要素集合は、対応する重み付けされた結果値の信頼度が、提示要件を満たさないページ要素の集合および／または対応する重み付けされた結果値を有しないページ要素の集合である。
【００８０】
例えば、ページ要素決定ユニット６０８は、対応する属性を有し、かつ第２のページ要素集合に保存されているページ要素に対応する提示回数に基づいて、決定された数のページ要素を、ウェブページで提示されるページ要素として、対応する属性を有し、かつ第２のページ要素集合に保存されているページ要素から、これらの提示回数に従って降順に選択し得る。
【００８１】
図８は、本開示の第３の実施形態例の別の実施例による別の装置例８００を示す。図８に示すような装置８００は、図６に示すような装置６００に基づいて、ウェブページ生成ユニット８０２をさらに含み得る。
【００８２】
ウェブページ生成ユニット８０２は、ページ要素決定ユニット６０８が上記の数のページ要素を提示されるウェブページのページ要素として選択した後で、様々な属性を持つ選択されたページ要素を、これらの対応するウェブページの位置に、ウェブページでのページ要素の対応する属性の位置情報に従って埋め込む。
【００８３】
ウェブページ生成ユニット８０２はまた、同じ機能性を実現するために、図７に示す装置７００に含まれ得る。
【００８４】
図９は、本開示の第３の実施形態例の別の実施例による別の装置例９００を示す。図９に示すような装置９００は、図８に示すような装置８００に基づいて、操作情報取得ユニット９０２をさらに含み得る。 
【００８５】
操作情報取得ユニット９０２は、ウェブページ生成ユニット８０２がウェブページを生成した後で、ユーザによって操作される、ウェブページで提示されるページ要素の操作情報を取得する。
【００８６】
これに対応して、ページ要素情報決定ユニット６０６は、ウェブページで調整する必要があるページ要素を、操作情報取得ユニット９０２が取得したページ要素の操作情報に従って決定した後で、ウェブページで提示されるページ要素の属性および数を決定する。
【００８７】
本開示の第３の実施形態例の実施例では、装置９００は、ページ要素情報決定ユニット６０６を含み得る。ページ要素情報決定ユニット６０６は、操作情報取得ユニット９０２が操作情報を取得する時間周期が事前設定された時間周期しきい値に達したと判定した後で、ウェブページでのページ要素を、ユーザが操作したページ要素の操作情報に従って調整する。
【００８８】
本開示の第３の実施形態例の実施例では、装置９００はまた、ページ要素情報決定ユニット６０６を含み得る。ページ要素情報決定ユニット６０６は、ページ要素の対応する重み付けされた結果値を、ユーザによって操作されたページ要素の操作情報に従って決定する。ページ要素に対応する重み付けされた結果値は、ユーザによって操作されたページ要素の操作情報に含まれる操作情報のタイプと、操作情報のタイプに対応する重み付けされた値とに基づいて決定される。ページ要素情報決定ユニット６０６はページ要素に対応する重み付けされた結果値の信頼度が事前設定された満足しきい値を満たすときに、ウェブページのページ要素をさらに調整し得る。
【００８９】
ウェブページのページ要素を決定する上記の装置中のユニットは、これらが実施した機能に従って論理的に分割されることを理解すべきである。一部の応用では、これらのユニットはさらに、分けられたりまたは組み合わされたりし得る。加えて、本開示の第３の実施形態例中のウェブページのページ要素を決定する装置によって実施される機能性は、本開示の第１の実施形態例および第２の実施形態例中でウェブページのページ要素を決定する方法中の過程に対応し得る。装置によって実現されるより詳細な処理は、方法の実施形態例で解説されたような処理と同じまたは類似している。したがって、装置によって実現されるより詳細な処理は、本明細書では詳述しない。
【００９０】
加えて、第３の実施形態例で解説したウェブページのページ要素を決定する装置もまた、第１の実施形態例および第２の実施形態例で説明したような他の何らかの機能性を実現する他のユニットを含み得る。したがって、他のユニットは本明細書では詳述しない。
【００９１】
ウェブページのページ要素を決定する装置は、１つ以上のプロセッサで実行可能で、かつ１つ以上のコンピュータ記憶媒体に記憶されるコンピュータ実行可能命令を通じて実現され得る。この技術分野の人物は、ユニットの上記の分類はユニットの様々な分類における単なる一部の例であることを理解するであろう。ユニットを分類しないまたは別のように分類する場合、ウェブページのページ要素を決定する装置が上記の機能性を実施することが可能であり限り、このような装置はそれでも、本開示の保護範囲内にある。
【００９２】
この技術分野の人物は、本開示の実施形態は、方法、装置（デバイスもしくはシステム）、またはコンピュータのプログラミング製品という形態であり得ることを理解するであろう。したがって、本開示は、ハードウエア、ソフトウエア、または双方の組み合わせによって実現され得る。加えて、本開示は、１つ以上のプロセッサによって実行可能であるコンピュータ実行可能命令を含み、かつコンピュータ記憶媒体（これに限られないが、ディスク、ＣＤ−ＲＯＭ、光ディスクなどを含む）中に実装される１つ以上のコンピュータプログラム製品という形態であり得る。
【００９３】
本開示は、本開示の実施形態の方法、装置（デバイスまたはシステム）およびコンピュータプログラムのフローチャートおよび／またはブロック図を参照して説明している。フローチャートおよび／またはブロック図の各々のフローおよび／またはブロックと、フローおよび／またはブロックの組み合わせと、はコンピュータプログラムの命令によって実現可能であることを理解すべきである。これらのコンピュータプログラム命令は、機械を生成するために、汎用コンピュータ、特定のコンピュータ、埋込みプロセッサまたは他のプログラム可能データプロセッサに提供することが可能であり、したがって、フローチャートの１つ以上のフローおよび／またはブロック図の１つ以上のブロックを実現する装置を、コンピュータまたは他のプログラム可能データプロセッサによって動作させられる命令によって生成することが可能である。
【００９４】
これらのコンピュータプログラム命令もまた、コンピュータまたは他のプログラム可能データプロセッサに対してある方法で操作するように命令することが可能な他のコンピュータ記憶媒体に保存され得るため、コンピュータ記憶装置に保存された命令は、１つ以上の命令装置を含む製品を生成する。命令装置は、フローチャートの１つ以上のフローおよび／またはブロック図の１つ以上のブロックの中に指定された機能性を実現する。
【００９５】
これらのコンピュータプログラム命令はまた、コンピュータまたは他のプログラム可能データプロセッサにロードすることが可能であり、したがって、このコンピュータまたは他のプログラム可能データプロセッサは、一連の動作ステップを動作させて、コンピュータによって実現されるプロセスを生成することが可能である。したがって、コンピュータまたは他のプログラム可能データプロセッサ中で動作させられる命令は、フローチャートの１つ以上のフローおよび／またはブロック図の１つ以上のブロックの中で指定されている機能を実現するためのステップを提供することが可能である。
【００９６】
本開示に説明するような実施形態例は、単に本開示を解説するためであり、本開示の範囲を限定することを意図するものではない。この技術分野の人物は、彼らが本開示中の創造的な概念を知るときに、実施形態例に対してさらに変更または修正を実施し得る。したがって、請求の範囲は、を含むだけではなく、・・・・と解釈されるものとする。
【００９７】
実施形態例は、単に本開示を例示するためであり、本開示の範囲を制限する意図はない。この技術分野の人は、本開示の原理から逸脱することなく本開示の保護下で、ある修正および改良をすることが可能であり、また、ある修正および改良を考慮すべきであることを理解すべきである。
【図１】
2015515046.tif 000003
【図２】
2015515046.tif 000004
【図３】
2015515046.tif 000005
【図４】
2015515046.tif 000006
【図５】
2015515046.tif 000007
【図６】
2015515046.tif 000008
【図７】
2015515046.tif 000009
【図８】
2015515046.tif 000010
【図９】
2015515046.tif 000011
【国際調査報告】
2015515046.tif 000012
2015515046.tif 000013